(57)【要約】      （修正有）【課題】確実で効率的なコンピュータの換気と排気が可能である、コンピュータハウジングおよびコンピュータを提供する。【解決手段】コンピュータハウジング１２は、主基板、プラグインカード、および少なくとも１つのハードディスクドライブ３０を収容する内部空間２４が中に構成された複数の外側のハウジング壁１４、１６、１８、２０と、内部空間２４に配置された内部のハウジング壁３４とを有し、内部のハウジング壁は、内部空間２４の下側区域を、内部空間２４の下側区域の上方に配置された内部空間２４の上側区域から空間的に分離するよう構成される。内部空間２４の上側区域は主基板とプラグインカードを収容するよう構成され、内部空間２４の下側区域はハードディスクドライブ３０を収容するよう構成される。さらに、コンピュータハウジング１２を備えるコンピュータ１０にも関する。【選択図】図２
2011076611.tif 000002
【特許請求の範囲】
【請求項１】
主基板、プラグインカード、および少なくとも１つのハードディスクドライブを収容する内部空間が中に構成された複数の外側のハウジング壁と、
前記内部空間に配置された内部のハウジング壁と、
を有し、
前記内部のハウジング壁は、前記内部空間の下側区域を、前記内部空間の下側区域の上方に配置された前記内部空間の上側区域から空間的に分離するよう構成され、
前記内部空間の前記上側区域は前記主基板と前記プラグインカードを収容するよう構成され、前記内部空間の前記下側区域は前記ハードディスクドライブを収容するよう構成される、
ことを特徴とするコンピュータハウジング。
【請求項２】
前記内部空間の前記上側区域で空気流を生成するよう構成された第１のファンと、
第２のファンと、
を備え、
前記第２のファンは前記複数の外側のハウジング壁のうちのいずれかに配置されるか、または前記内部空間の前記下側区域に配置され、前記内部空間の前記下側区域で空気流を生成するよう構成される、
ことを特徴とする請求項１に記載のコンピュータハウジング。
【請求項３】
前記コンピュータハウジングは直方体に構成され、
前記内部空間の前記下側区域は前記コンピュータハウジングの幅全体および／または奥行全体にわたって延びる、
ことを特徴とする請求項１または２に記載のコンピュータハウジング。
【請求項４】
前記内部のハウジング壁には、前記内部空間の前記下側区域と前記内部空間の前記上側区域とを空気工学的に結合するよう構成された開口部が配置される、
ことを特徴とする請求項２または３に記載のコンピュータハウジング。
【請求項５】
請求項１乃至４のいずれか一項に記載のコンピュータハウジングを備え、
前記複数の外側のハウジング壁は前記内部空間の前記下側区域を下方に制限する底面プレートを有し、
全部または少なくとも複数の前記ハードディスクドライブは前記底面プレートの上に配置される、
ことを特徴とするコンピュータ。
【発明の詳細な説明】
【技術分野】
【０００１】
本発明は、コンピュータハウジングおよびコンピュータに関する。
【背景技術】
【０００２】
コンピュータ、特にいわゆるタワーＰＣは、部分的に高い廃熱負荷に達することがある。したがってコンピュータは、コンピュータハウジングから廃熱を運び出すために、効率的に換気、排気されなくてはならない。さらにコンピュータハウジングの中に配置されたディスクドライブは、コンピュータの振動や騒音を引き起こす可能性がある。発生する騒音はできる限り小さいのが望ましい。
【発明の概要】
【発明が解決しようとする課題】
【０００３】
本発明の課題は、確実で効率的なコンピュータの換気と排気が可能である、コンピュータハウジングおよびコンピュータを提供することにある。
【課題を解決するための手段】
【０００４】
この課題は、独立請求項の構成要件によって解決される。本発明の有利な実施形態は、従属請求項に記載されている。
【０００５】
第１の態様において本発明は、主基板、プラグインカード、および少なくとも１つのハードディスクドライブを収容する内部空間が中に構成された複数の外側のハウジング壁と、内部空間に配置された内部のハウジング壁とを有するコンピュータハウジングを特徴としている。内部のハウジング壁は、内部空間の下側区域を、内部空間の下側区域の上方に配置された内部空間の上側区域から空間的に分離するよう構成される。内部空間の上側区域は主基板とプラグインカードを収容するよう構成され、内部空間の下側区域はハードディスクドライブを収容するよう構成される。
【０００６】
このことは、ハードディスクドライブの廃熱を、内部空間の別個の下側区域だけに限定できるという利点がある。それにより、ハードディスクドライブの廃熱による主基板とプラグインカードの負荷を回避することができる。ハードディスクドライブは、低いところに位置する内部空間の領域に配置されてよい。それによってコンピュータの低い重心が可能となる。コンピュータハウジングの固有振動または振動を非常に小さくすることができる。それにより、わずかな騒音発生しか生じる可能性がない。さらに、ハウジング壁を備えるコンピュータハウジングは、薄い壁厚で構成されてよい。それにより、コンピュータハウジングの少ないコストと少ない重量を実現可能である。
【０００７】
１つの好ましい実施形態では、コンピュータハウジングは、内部空間の上側区域で空気流を生成するよう構成された第１のファンと、第２のファンとを有する。第２のファンは、複数の外側のハウジング壁のうちのいずれかに配置されるか、または内部空間の下側区域に配置され、内部空間の下側区域で空気流を生成するよう構成される。このことは、ハードディスクドライブの廃熱を第２のファンによって、第１のファンとは関わりなく別個に、内部空間の下側区域から運び出すことを可能にし、内部空間に配置された他のコンポーネントが熱の負荷を受けることがない。
【０００８】
別の好ましい実施形態では、コンピュータハウジングは直方体に構成される。内部空間の下側区域は、コンピュータハウジングの幅全体および／または奥行全体にわたって延びる。このことは、内部空間の下側区域の面全体にわたってハードディスクドライブの良好な配分が可能になるという利点がある。
【０００９】
別の好ましい実施形態では、内部のハウジング壁には、内部空間の下側区域と内部空間の上側区域とを空気工学的に結合するよう構成された開口部が配置される。このことは、ファンによって空気流が内部空間の上側区域から下側区域へ達することができるという利点がある。それにより、ハウジングの内部空間全体（主基板とプラグインカードを含む）から出る廃熱の運び出しを、ファンによって実現することができる。
【００１０】
第２の態様において本発明は、第１の態様に基づくコンピュータハウジングを備えたコンピュータを特徴としている。外側のハウジング壁は、内部空間の下側区域を下方に制限する底面プレートを有する。全部または少なくとも複数のハードディスクドライブは、底面プレートの上に配置されている。
【００１１】
特に、ハードディスクドライブは底面プレートを実質的に全面的に覆う。
【００１２】
このことは、コンピュータの非常に低い重心が可能になるという利点がある。さらに、コンピュータの傾きを防止するための追加の部材が必要ない。
【００１３】
次に、模式的な図面を参照しながら、本発明の実施例について詳しく説明する。
【図面の簡単な説明】
【００１４】
【図１】第１の実施形態のコンピュータを示す斜視図である。
【図２】コンピュータを示す別の斜視図である。
【図３】コンピュータを示す側面図である。
【図４】別の実施形態のコンピュータを示す斜視図である。
【発明を実施するための形態】
【００１５】
同じ構造または機能をもつ部材には、どの図面においても同じ参照符号が付されている。
【００１６】
図１から図３は、コンピュータ１０の第１の実施形態を示している。コンピュータ１０は、特に、いわゆるタワーＰＣとして構成されている。コンピュータ１０は、直方体に構成されたコンピュータハウジング１２を有している。
【００１７】
コンピュータハウジング１２は、前壁１４と、裏壁１６と、底面プレート１８と、外側のハウジング壁を共同で形成する別のハウジング壁２０とを有している。別のハウジング壁２０は、たとえばカバープレートと側壁であってよい。
【００１８】
ハウジング壁１４、１６、１８、２０は、特に金属板、好ましくは鋼板でできていてよく、または鋼板を有することができる。
【００１９】
外側のハウジング壁１４、１６、１８、２０の内側には、内部空間２４が構成されている。内部空間２４には、マイクロプロセッサを備える主基板２６と、複数のプラグインカード２８とが配置されている。
【００２０】
内部空間２４には、さらに別のハードディスクドライブ３０が配置されている。
【００２１】
さらに前壁１４の開口部には、別のディスクドライブ３２が挿入されている。ディスクドライブ３２は、特に３−１／２”ディスクドライブおよび５−１／４”ディスクドライブである。
【００２２】
内部空間２４には、ここに示すコンピュータハウジング１２の実施形態ではコンピュータハウジング１２の幅Ｂの全体および奥行Ｔの全体にわたって延びる、内部のハウジング壁３４が配置されている。内部のハウジング壁３４は、内部空間２４の下側区域２４ａを、内部空間２４の上側区域２４ｂから分離している。内部空間２４の上側区域２４ｂは、内部空間２４の下側区域２４ａの上方に配置されている。
【００２３】
内部空間２４の上側区域２４ｂには、マイクロプロセッサを備える主基板２６とプラグインカード２８とが配置されている。内部空間２４の下側区域２４ａには、ハードディスクドライブ３０が配置されている。このことは、内部のハウジング壁３４が内部空間２４を再区分し、内部空間２４の下側区域２４ａがコンピュータハウジング１２の幅Ｂ全体および奥行Ｔ全体にわたって延びる通路として構成され、この通路にハードディスクドライブ３０が収容されるようになっていることを意味している。コンピュータ１０のその他のコンポーネントは、内部空間２４の下側区域２４ａには配置、収容されていない。
【００２４】
前壁１４には、ファン３６ａ、３６ｂが配置されている。図１から図３に示すコンピュータハウジング１２の実施形態では、前壁１４には、特に、第１のファン３６ａと第２のファン３６ｂとが配置されている。これら両方のファン３６ａ、３６ｂは、特に相上下して配置される。第１のファン３６ａは内部空間２４の上側区域２４ｂに付属しており、空気流を内部空間２４の上側区域２４ｂで惹起することができ、それによってマイクロプロセッサを備える主基板２６およびプラグインカード２８から廃熱を運び出すことができる。
【００２５】
第２のファン３６ｂは第１のファン３６ａの下方に配置されており、内部空間２４の下側区域２４ａに付属している。下側の第２のファン３６ｂにより、ハードディスクドライブ３０が配置された内部空間２４の下側区域２４ａで、空気流を生成することができ、この空気流によって廃熱をハードディスクドライブ３０から周囲へ運び出すことができる。
【００２６】
内部のハウジング壁３４によって内部空間２４の下側区域２４ａを構成することで、ハードディスクドライブ３０で発生する廃熱が内部空間２４の限定された範囲内にとどまり、内部空間２４の上側区域２４ｂへ到達しないようにすることができる。それにより、ハードディスクドライブ３０の廃熱による、マイクロプロセッサを備える主基板２６およびプラグインカード２８の熱負荷を回避することができる。ハードディスクドライブ３０の廃熱は、下側の第２のファン３６ｂにより、内部空間２４の下側区域２４ａから吸い出すことができる。それにより、コンピュータハウジング１２の内部空間２４に配置されたその他のコンポーネントの負荷を小さく抑えることができる。
【００２７】
すべてのハードディスクドライブ３０は、底面プレート１８の上に均等に配置されている。このことは、底面プレート１８がハードディスクドライブ３０によって実質的に覆われることを意味している。それにより、コンピュータ１０の非常に低い重心を実現することができる。このようにして、コンピュータ１０の傾きを防止する追加の部材を回避することができる。
【００２８】
内部空間２４の下側区域２４ａの底面プレート１８にハードディスクドライブ３０が固定的に配置されることで、コンピュータハウジング１２の固有振動または振動を小さく抑えることができる。これに加えて、ハードディスクドライブ３０からコンピュータハウジング１２への力の伝達を小さく抑えることができるので、コンピュータハウジング１２に対して低い安定性要求しか課さなくてすむ。そのようにして、特に、コンピュータ１０の、特にコンピュータハウジング１２の、騒音発生が非常に低くなるようにすることができる。さらに、コンピュータハウジング１２を設置するための高いコストのかかる脚部に代えて、簡素な脚部を使用することが可能である。
【００２９】
コンピュータハウジング１２の小さい機械的負荷により、外側のハウジング壁１４、１６、１８、２０の壁厚を小さくすることができるので、コンピュータハウジング１２の重量削減が可能である。特に、外側のハウジング壁１４、１６、１８、２０について、約１．２ｍｍの通常の板厚をもつ薄板に代えて、０．６から０．８ｍｍの板厚をもつ薄板を外側のハウジング壁１４、１６、１８、２０に使用することが可能である。
【００３０】
内部のハウジング壁３４は、内部空間２４の下側区域２４ａと内部空間２４の上側区域２４ｂとの間の空気工学的な結合を可能にする開口部３８を有している。内部空間２４の下側区域２４ａの換気と排気を惹起する下側の第２のファン３６ｂも、内部空間２４の上側区域２４ｂの換気または排気に貢献できるようにすることが可能である。それにより、下側の第２のファン３６ｂも、マイクロプロセッサを備える主基板２６およびプラグインカード２８からの廃熱の運び出しに寄与することができる。
【００３１】
図４には、図１から図３の実施形態に比べてコンピュータハウジング１２の奥行Ｔが低減された、コンピュータ１０の別の実施形態が示されている。
【００３２】
ハードディスクドライブ３０は、この実施形態では、コンピュータハウジング１２の底面プレート１８の上に複数が配置されている。ハードディスクドライブ３０のうちの１つは、コンピュータハウジング１２の短い奥行Ｔに基づき、他のハードディスクドライブ３０の上方に配置されている。しかしながら、基本的にはこの実施形態でも、複数のハードディスクドライブ３０が底面プレート１８の上に配置されている。このようにして、コンピュータ１０の低い重心を実現することができ、コンピュータ１０の傾きを防止するための追加の部材を回避することができる。
【００３３】
本発明は、上述した実施例に限定されるものではない。さまざまな実施例の構成要件を相互に組み合わせることがさらに可能であり、そのような種類の本発明の構造も本発明に包含される。
【符号の説明】
【００３４】
１０  コンピュータ
１２  コンピュータハウジング
１４  前壁
１６  裏壁
１８  底面プレート
２０  別のハウジング壁
２４  内部空間
２４ａ、ｂ  内部空間の下側区域、上側区域
２６  主基板
２８  プラグインカード
３０  ハードディスクドライブ
３２  別のディスクドライブ
３４  内部のハウジング壁
３６ａ、ｂ  第１のファン、第２のファン
３８  内部のハウジング壁の開口部
Ｂ  １２の幅
Ｔ  １２の奥行
【図１】
2011076611.tif 000003
【図２】
2011076611.tif 000004
【図３】
2011076611.tif 000005
【図４】
2011076611.tif 000006